(57)【特許請求の範囲】
【請求項１】
建築物の開口部における天井内の巻取軸に巻付けられ下端に座板を有するシャッターカーテンと、シャッターカーテンの少なくとも一側をガイドしながらシャッターカーテンの昇降に追従して上記開口部における水平位置から起立位置まで回動する数個のガイドレールと、前記開口部の一方の壁と当該壁寄りに立てたガイドレールとの間に回動自在に配置した避難扉と、を備えてなる建築用シャッター装置において、
前記ガイドレールは、一対のレール本体を向かい合わせてレール本体間にシャッターカーテンの昇降をガイドするスリットを形成させ、しかも、避難扉に接する側のガイドレールの側面には前記スリットに通じる座板収容部を形成させると共に、当該レール本体端面に座板収容部の開口面を閉じる方向に回動付勢されたふさぎ板を取付け、
前記ふさぎ板は、壁寄りに立てたガイドレールを起立させてシャッターを閉鎖するときに、当該ガイドレール端に前記座板収容部の開口面を閉じる方向に回動し、シャッターカーテンの巻上げによりガイドレールが上方に回動するときには、上昇する座板の端部に当接して開き、さらに、シャッター上昇完了でガイドレールがまぐさケース内に水平に収納されると閉じるようにされており、
さらに、前記ガイドレールは、前記シャッターカーテンの昇降動をガイドレールの回動に変換するために、前記ガイドレールの内部に傾動自在に取り付けられた補助アームを有し、
前記補助アームは、前記ガイドレールの下端より上方の所定位置を回動支点としてシャッターカーテン閉鎖時の座板近くに達する長さを有し、前記回動支点にはシャッターカーテンが所定高さ以上にあるとき座板上面に当接する支点ローラを設けると共に、当該アームの下端にはシャッターカーテンの上昇または降下のほぼ全期間に渡って座板上面に当接する先端ローラを備えており、
前記ガイドレール内にはシャッターカーテンが所定高さに達したとき、ガイドレールに対する補助アームの傾動角度を規制するストッパーを設け、
さらに、前記補助アームは、一端が回動支点となる短辺と前記短辺の他端と連接する長辺とをクランク状に屈曲し一体化させたものであり、
前記短辺は、シャッターカーテンが所定高さに巻き上げられガイドレールが回動したときに、ストッパーに当接する
ことを特徴とする建築用シャッター装置。
【請求項２】
前記ふさぎ板は、断面ほぼＺ形をなし、壁寄りに立てたガイドレールの一方のレール本体に、トーションばね付ヒンジを用いて当該ガイドレールの座板収容部を閉じる方向に回動付勢された状態取付けられていることを特徴とする請求項１に記載の建築用シャッター装置。
【発明の詳細な説明】
【０００１】
【発明の属する技術分野】
本発明は、ビルディングや倉庫などの建築物の開口部を開閉する建築用シャッター装置にかかるもので、特に開口部における避難扉側のガイドレール端面の防火・防炎構造に関するものである。
【０００２】
【従来の技術】
一般に、ビルや倉庫などの大部屋等には、火災等の異常事態に対処するため防火シャッターの設置が義務付けられている。間口が広い場合には、開口部の所定位置にガイドレール（または回動レール）を設けて複数連のシャッターを並設するが、中柱としてのガイドレールを開口部の垂直面内に回動可能に取付け、シャターの巻上げ上昇時には、ガイドレールを天井部に収納し、火災等の異常時に垂下してシャッターを閉鎖するようにしたポストレス式建築用シャッター装置が提案されている。
【０００３】
また、特開平１０−１５３０６０号では、開口部の一方の壁と当該壁寄りに立てたガイドレールとの間に塞ぎ体付の避難扉を設置している。この避難扉は開口部の一方の壁に丁番を用いて回動自在に取付けられ、シャッター上昇時には壁側に回動して開口部を大きくとり、シャッター閉鎖時には対向する壁寄りのガイドレール端面に蜜接させて避難路を確保すると同時に、避難扉の回動端に設けた塞ぎ体を回動して、ガイドレールの一方のスリット（貫通ガイド）を塞いで、避難扉を閉止したのちのガイドレールのスリットからの火炎や煙が室内及び天井へ侵入することを阻止するようになっている。
【０００４】
【発明が解決しようとする課題】
しかしながら、上記シャッター装置における避難扉は、建屋開口部の一方の壁に丁番を用いて回動自在に取付けられ、かつ、避難扉の回動端に、ガイドレールの一方のスリット面を塞ぐ塞ぎ体を設けているので、避難扉を回動してガイドレールに密着させたのち、ふさぎ体を回動して閉じる必要があり、戸袋が大きく扉装置全体がコスト高になるほか緊急時の操作が複雑になる。
本発明は、シャッターカーテンの閉鎖完了時におけるガイドレール側面のスリット部分のスキマ閉じを確実ならしめた建築用シャッター装置を提供することを目的とする。
【０００５】
【課題を解決するための手段】
上記目的を達成するため、本発明は、建築物の開口部における天井内の巻取軸に巻付けられ下端に座板を有するシャッターカーテンと、シャッターカーテンの少なくとも一側をガイドしながらシャッターカーテンの昇降に追従して上記開口部における水平位置から起立位置まで回動する数個のガイドレールと、前記開口部の一方の壁と当該壁寄りに立てたガイドレールとの間に回動自在に配置した避難扉と、を備えてなる建築用シャッター装置において；前記ガイドレールは、一対のレール本体を向かい合わせてレール本体間にシャッターカーテンの昇降をガイドするスリットを形成させ、しかも、避難扉に接する側のガイドレールの側面には前記スリットに通じる座板収容部を形成させると共に、当該レール本体端面に座板収容部の開口面を閉じる方向に回動付勢されたふさぎ板を取付け；前記ふさぎ板は、壁寄りに立てたガイドレールを起立させてシャッターを閉鎖するときに、当該ガイドレール端に前記座板収容部の開口面を閉じる方向に回動し、シャッターカーテンの巻上げによりガイドレールが上方に回動するときには、上昇する座板の端部に当接して開き、さらに、シャッター上昇完了でガイドレールがまぐさケース内に水平に収納されると閉じるようにしたことを特徴とする。
また、ふさぎ板は、断面ほぼＺ形をなし、壁寄りに立てたガイドレールの一方のレール本体に、トーションばね付ヒンジを用いて当該ガイドレールの座板収容部を閉じる方向に回動付勢された状態で取付けられていることを特徴とする。
【０００６】
【発明の実施の形態】
以下、本発明に係るシャッター装置の実施形態を図面に基づいて説明する。
図１は本発明の建築用シャッター装置の正面図、図２は図１のＡ−Ａ線より矢印方向に見た拡大断面図である。
本発明の建築用シャッター装置は、建築物の開口部４０における天井４２内の巻取軸２に巻付けられて昇降するシャッターカーテン２５と、まぐさケース５内に設けたレールシャフト（支軸）１３に支持され、シャッターカーテン２５の昇降に追従して開口部４０の垂直面内に回動し、シャター上昇後にはシャッターケース内に水平状に収納されるガイドレール（回動レールまたは中柱）１０と、シャッターカーテン２５の動きをガイドレール１０の回動に変換するため、ガイドレール１０内に傾動自在に設けた補助アーム３０と、開口部４０の一方に回動自在に設けた回転ドア式の避難扉１５とを備えている。シャッターカーテン２５は多数のスラットを連結させたもので、下端に座板２６を有している。
なお、図中、４は軸受けブラケット、５は天井４２内に設けたまぐさケース、６はまぐさケース蓋、７はダンパー、８はラッチ、９はレールブラケット、１３はレールシャフト、４１は床面である。
【０００７】
図１は、ビルディングや倉庫などの大きな開口部４０に、幅広のシャッターカーテン２５と幅狭のシャッターカーテン２５ａを連装させた例を示す。幅広のシャッターカーテン２５は、その両側部がガイドレール１０、１０によってガイドされるが、幅狭のシャッターカーテン２５ａは、一側がガイドレール１０にガイドされ、他側が固定のガイドレール１４によってガイドされる。ただし、図示を省略したが、１つの広幅のシャッターカーテンのみ、または広幅のシャッターカーテンを２基またはそれ以上連装してもよい。また、シャッターカーテン２５が完全に降下して隣接する２本のガイドレール１０、１０が垂直になったとき、レール本体１０ａ、１０ａの対向面が互いに密に係合できるように凹凸部（図示省略）を形成させている。
【０００８】
ガイドレール１０は、矩形断面の一対のレール本体１０ａ、１０ａを向かい合わせ、かつ、レール本体間にシャッターカーテンの昇降をガイドするスリット１１を形成すると共に、避難扉１５に接する側のガイドレールの端面に当該レールのスリットに通じる座板収容部１２を閉じる方向に回動付勢されたふさぎ板２０を取付けている。各カイドレール１０は、２本のガイドレール本体１０ａ、１０ａを向かい合わせ、レールシャフト１３を挿通するレール本体の上端付近をツナギ材（図示省略）でつなぐ以外は、レール本体間にシャッターカーテンをガイドするスリット１１と、カイドレール１０の回動外側に相当する端面に、スリットを兼用する座板の貫通孔部１２を形成させている（図３、５）。
ふさぎ板２０は、図３に示すように、断面ほぼＺ形をなし、壁寄りに立てたガイドレールの一方のレール本体１０ａに、トーションばね付ヒンジ２１を用いて当該ガイドレールの座板収容部１２の開口面を閉じる方向に回動付勢された状態に取付けられている。また、シャッターカーテン２５の巻上げによりガイドレールが上方に回動するときには、上昇する座板２６の端部に当接してふさぎ板２０が開き、さらに、シャッター上昇完了でガイドレール１０がまぐさケース５内に水平に収納されると閉じるように取付けらている（図９）。
【０００９】
図３は、図１のＢ−Ｂ線における拡大横断面図で、シャッターカーテンの閉鎖時におけるガイドレール１０と避難扉１５との召し合わせ部分を示す。
避難扉１５は壁側に設けた軸１８に回動自在に取付けられ、閉じ状態では、その先端部がレール本体１０ａの端部に密接するようにされている。避難扉１５を大扉として軸１９により回動自在の小扉１６を有している。
【００１０】
図４は図１において避難扉を、図３と反対方向に押し開くように建てつけた場合のガドレールと避難扉との召し合わせ部分の拡大横断面図であって、開き方向が逆であるほか、その構成部分は図３と同じである。
これらの避難扉１５は、シャッターカーテン２５を全部閉鎖した際に避難口として確保される。また、シャッターカーテン２５を巻き上げて開口部４０を全開したときには、避難扉１５を壁側の戸袋１７に収納することで開口部の間口を狭めることがない。
【００１１】
なお、特願２００１−６４９９６号の明細書に開示したように、シャッターカーテンの下降端で補助アームの先端ローラを座板端部に形成した袋部に抱持してシャッターカーテン閉鎖状態を保持するローラロック機構と、ガイドレール下部から床面に設けた落としつぼにロックピンを挿入してガイドレールの直立状態を保持するレールロック機構とを備えているが、図示を省略してある。
シャッター装置は、シャッターカーテン２５の巻取り上昇時に図示しない火災センサ等からの火災信号を受けると、ケース蓋６が開き、シャッターブレーキの開放と同時に、シャッターカーテン２５が降下し、ガイドレール１０が回動して開口部４０を閉鎖するようになっている。ガイドレール１０は回動角を規制する上部ストッパー機構を備えるほか、下端側にレールロック機構及びローラロック機構を備えているが、これら機構の図示を省略する。
【００１２】
ガイドレール１０の内部には、前述のようにシャッターカーテン２５の上下動きをガイドレール１０の回動に変換するためクランク状に屈曲させた補助アーム３０を備えており、かつ、その回動範囲内に補助アームの傾斜角度を規制するストッパー３４を設けている。
この補助アーム３０は、ガイドレール１０の下端より上方の所定位置を回動支点とし、シャッターカーテン閉鎖時の座板２６の近くに達する長さを有するクランク形をなして、ガイドレール内に傾動自在に取付けられている。回動支点であるアーム支軸３１には、シャッターカーテン２５が所定高さ以上にあるとき座板２６の上面（リップ付き上面）に当接する支点ローラ３２を設け、補助アームの下端にはシャッターカーテンの上昇又は降下のほぼ全期間に渡って座板上面に当接する先端ローラ３３を備えている。
【００１３】
前記補助アーム３０は、短辺側と長辺側とをクランク状に屈曲させて一体化してあるので、短辺側の支点ローラ３２と長辺側の先端ローラ３３とを結ぶ線はガイドレール１０の直立時に垂直線より傾けた状態に設定し、シャッターカーテン２５の昇降に従って回動するガイドレール１０内での補助アーム３０の傾動を円滑にする。また、長辺側の外面にレールカバー３５を固着すると共に、レールカバー３５の下端には昇降する座板２６との干渉を避けるための切り欠き３６を形成させている（図２）。補助アーム３０の短辺側は、ガイドレールの垂直起立時には上記ストッパー３４から離れた位置に静止され（図５ａ）、シャッターカーテン２５が所定高さに巻き上げられてガイドレールが回動したときに、ストッパー３４に当接するようになっている（図５ｂ）。
【００１４】
次に本装置の動作を説明する。
シャッターカーテン２５は、巻上げ上昇時にはブレーキ装置を備えたモータ１の駆動により巻取軸２に巻き取られ、上昇の途中または完了時には不用意にシャッターカーテン２５が降下しないように回転が阻止される。シャッターカーテン２５を下降させる場合に、巻取軸２を逆転させるが、前述のように火災等の異常時には、火災センサ等（図示省略）が作動して自動的にブレーキが解除され、シャッターカーテン２５が自重で閉鎖するように設定されている。
【００１５】
図５はシャッターカーテンの開き動作を示すもので、（ａ）はガイドレールが直立状態にある状態、（ｂ）シャッターカーテンの上昇によりガイドレールを２゜傾けた状態、（ｃ）は３゜傾けた状態、（ｄ）は５゜傾けた状態、（ｅ）は約３７゜傾けた状態のそれぞれ正面図である。
シャッターカーテン３０を上昇させる場合には、まず、スイッチを入れてモータ１を駆動してシャッターカーテンの巻き取りを開始する。図５（ａ）の状態より座板２６を僅かに上昇させると、先端ローラ３３を座板２６上に転動させながら補助アーム３０を図の反時計方向に回動させて、図５（ｂ）の姿勢に移る。すなわち、補助アームの短辺側がストッパー３４に当って回動を制止され、ガイドレール１０に対して、補助アーム３０がこれ以上回動しない。この間の補助アーム３０の傾動によりロックピンを引き抜くが、シャッターカーテン２５の開き動作は、補助アーム３０を傾動させるだけであるので、大きな力を必要としない。
【００１６】
図５（ｂ）の状態からシャッターカーテン２５を上昇させると、座板２６、先端ローラ３３を介して上昇力が補助アームの支点ローラ３２に伝わり、その水平分力でガイドレール１０を、さらに回動させて図５ｃから図５eの状態になる。
この間の補助アームの支点ローラ３２は座板２６に当接しているため、上昇力を支点ローラ３２と先端ローラ３３で受けてガイドレール１０を回動させる。この場合に受ける応力は、補助アーム３０が内側に回動してその先端部ローラ３３が座板２６の内側に来ているので、小さな荷重で済む。さらに、シャッターカーテン２５が開くと、図９、１０に示すように建築物のまぐさケース５内に水平状に収納される。
【００１７】
図６は図５（ｂ）の座板上昇位置におけるふさぎ板の状態、図７は図５（ｃ）の座板上昇位置におけるふさぎ板の状態、図８は図５（ｄ）の座板上昇位置におけるふさぎ板の状態をそれぞれ示す拡大横断面図である。これらの図はガイドレール１０内に挿入された座板２６の端部の相対位置によってふさぎ板２０が徐々に開かれる模様を示している。ガイドレール１０が図５（ｄ）の状態より、更に上向きに回動される間は、ふさぎ板２０は開かれたままであるが、ガイドレール１０がまぐさケース５内に水平に納まると、同時または前後して、ヒンジ２１のトーションばねの弾力によって座板収容部１２に収納される（図１０）。
【００１８】
シャッターカーテン２５を再び下降させてガイドレール１０が垂直になると、補助アーム３０が回動し、先端ローラ３３は座板２６の上面を転動して、斜面部の入口に達するようになる。シャッターカーテンが床面まで降下すると、補助アーム１０の先端ローラ３３は抱持部の中に収納される。この抱持部の中では、先端ローラ３３は左右方向に動くことができずロック状態となる。一方、ガイドレール１０の下端部からロックピンが圧縮バネの付勢力によって突出し、建築物の床面５１に設けた落としつぼに係合して、ガイドレール１０を確実にロックするので、ガイドレール１０は安定し、火災時の風圧などでもシャッターカーテンがばたつくことがない。
【００１９】
【発明の効果】
本発明の建築用のシャッター装置は、建築物の開口部を閉鎖するシャッターカーテンと、シャッターカーテンの昇降に追従して開口部の垂直面内に回動するガイドレールと、開口部の一方の壁と当該壁寄りに立てたガイドレールとの間に配置した避難扉とを備える。ガイドレールは、一対のレール本体を向かい合わせてレール本体間にシャッターカーテンの昇降をガイドするスリットを形成させ、しかも、避難扉に接する側のガイドレールの側面には前記スリットに通じる座板収容部を形成させると共に、当該レール本体端面に座板収容部を閉じる方向に回動付勢されたふさぎ板を取付ける。ふさぎ板は、壁寄りに立てたガイドレールを起立させてシャッターを閉鎖させるときに、ガイドレール端の座板収容部の開口面を閉じる方向に回動し、シャッターカーテンの巻上げによりガイドレールが上方に回動するときには、上昇する座板の端部に当接して開くようにしている。
【００２０】
ふさぎ板は、断面ほぼＺ形をなし、壁寄りに立てたガイドレールの一方のレール本体に、トーションばね付ヒンジを用いて当該ガイドレールの座板収容部を閉じる方向に回動付勢された状態取付けられているので、避難扉とガドレールとの召し合わせ部分をふさぎ板で閉塞することができ、シャッター閉鎖にガイドレールと避難扉側との間に隙間がなく防火性能も向上する。
【図面の簡単な説明】
【図１】本発明の建築用シャッター装置の正面図である。
【図２】図１のＡ−Ａ線より矢印方向に見た拡大断面図である。
【図３】ガドレールと避難扉との召し合わせ部分を示すもので、図１のＢ−Ｂ線における拡大横断面図である。
【図４】図１において避難扉を押し開き状態に建てつけた場合のガドレールと避難扉との召し合わせ部分の拡大横断面図である。
【図５】シャッターカーテンの開き動作を示すもので、（ａ）はガイドレールが直立状態にある状態、（ｂ）シャッターカーテンの上昇によりガイドレールを２゜傾けた状態、（ｃ）は３゜傾けた状態、（ｄ）は５゜傾けた状態、（ｅ）は約３７゜傾けた状態のそれぞれ正面図である。
【図６】図５（ｂ）の座板上昇位置におけるふさぎ板の状態を示す拡大横断面図である。
【図７】図５（ｃ）の座板上昇位置におけるふさぎ板の状態を示す拡大横断面図である。
【図８】図５（ｄ）の座板上昇位置におけるふさぎ板の状態を示す拡大横断面図である。
【図９】シャッターカーテンが完全に上昇してガイドレールをマグサ内に収納した状態の正面図である。
【図１０】図９の拡大断面図である。
【符号の説明】
１  モータ                        ２  巻取軸
３  副軸                          ４  軸受けブラケット
５  まぐさケース                  ６  ケース蓋
７  ダンパー                      ８  ラッチ
９  レールブラケット              １０  ガイドレール
１０ａ  ガイドレール本体          １１  スリット（貫通ガイド）
１２  座板収容部                  １３  レールシャフト
１４  固定のガイドレール          １５  避難扉
１６  小扉                        １７  避難扉用戸袋
２０  ふさぎ板                    ２１  トーションばね付ヒンジ
２２  ストッパー                  ２３  ストッパー受け
２５  シャッターカーテン          ２６  座板
３０  補助アーム                  ３１  アーム支軸
３２  支点ローラ                  ３３  先端ローラ
３３  先端ローラ                  ３４  ストッパー
３５  レールカバー                ３６  切り欠き
４０  開口部                      ４１  床面
４２  天井
【図１】
0004806502.tif 000002
【図２】
0004806502.tif 000003
【図３】
0004806502.tif 000004
【図４】
0004806502.tif 000005
【図５】
0004806502.tif 000006
【図６】
0004806502.tif 000007
【図７】
0004806502.tif 000008
【図８】
0004806502.tif 000009
【図９】
0004806502.tif 000010
【図１０】
0004806502.tif 000011